【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
互いに独立してそれぞれに観測情報の測定を行う複数の端末と、
前記測定の結果を収集するサーバと
を具備し、
前記サーバは、前記複数の端末に向けて情報送信要求信号を一斉送信するサーバ側送受信回路
を具備し、
前記情報送信要求信号は、前記サーバから送信される度に異なるコード番号を、受信する前記複数の端末が読み取り可能な所定の形式で含み、
前記複数の端末のそれぞれは、
前記測定を行う測定部と、
前記情報送信要求信号を受信する端末側送受信回路と、
受信した前記情報送信要求信号に応じて、かつ、前記コード番号に応じた変換式を用いて、前記測定した観測情報を複数の無線物理量の組み合わせに変換する変換部と
を具備し、
前記それぞれの端末において、前記端末側送受信回路は、前記組み合わせに含まれる時刻において、前記組み合わせに含まれる周波数を有する単位信号を生成して前記サーバに向けて送信し、
前記サーバ側送受信回路は、前記単位信号の集合体を受信信号として受信し、
前記サーバは、
受信した前記受信信号を、対応する前記情報送信要求信号ごとに格納するデータベースと、
複数の前記情報送信要求信号にそれぞれ対応して格納した複数の前記受信信号に基づいて、かつ、前記コード番号に応じた逆変換式を用いて、前記複数の端末の配置と、前記測定された観測情報との組み合わせを推定する復元回路と
をさらに具備する
無線センサネットワークシステム。
【請求項２】
請求項１に記載の無線センサネットワークシステムにおいて、
前記観測情報は、
前記それぞれの端末の位置を示す第１座標値および第２座標値と、
前記それぞれの端末が前記位置で所定の観測対象を測定した観測値と
を含み、
前記無線物理量の組み合わせは、
第１時刻と、
第２時刻と、
１つの周波数と
を含み、
前記変換部は、
前記第１座標値および前記第２座標値を、前記第１時刻および前記第２時刻にそれぞれ変換する時間軸マッピング回路と、
前記観測値を前記１つの周波数に変換する周波数軸マッピング回路と
を具備する
無線センサネットワークシステム。
【請求項３】
請求項２に記載の無線センサネットワークシステムにおいて、
前記周波数軸マッピング回路は、
変換前の前記観測値と、変換後の前記１つの周波数との対応関係を、前記コード番号に応じて変動する周波数軸シフト回路
を具備し、
前記復元回路は、
前記変換後の周波数を、前記コード番号に応じた前記変動の逆変換を行って前記変換前の測定値を算出する
無線センサネットワークシステム。
【請求項４】
請求項１〜３のいずれかに記載の無線ネットワークシステムにおいて、
前記復元回路は、
前記単位信号が検出される確率が所定の検出確率閾値に満たない座標から検出された前記単位信号を、前記推定の対象から除外する
無線センサネットワークシステム。
【請求項５】
請求項１〜４のいずれかに記載の無線ネットワークシステムにおいて、
前記復元回路は、情報送信要求回数が所定の閾値に達した後、前記推定を開始する
無線センサネットワークシステム。
【請求項６】
請求項５に記載の無線センサネットワークシステムにおいて、
前記コード番号として、前記情報送信要求回数を用いる
無線センサネットワークシステム。
【請求項７】
請求項１〜６のいずれかに記載の無線センサネットワークシステムにおいて、
前記受信サーバは、
前記複数の端末の位置情報を予め記憶しているメモリ
をさらに具備し、
前記復元回路は、前記メモリに記憶された前記位置情報を参照して前記推定を行う
無線センサネットワークシステム。
【請求項８】
請求項１〜７のいずれかに記載の無線センサネットワークシステムにおいて、
前記端末側送受信回路は、前記単位信号を、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ：直交周波数分割多重）方式で生成して送信し、
前記サーバ側送受信回路は、前記受信信号を前記ＯＦＤＭ方式で受信する
無線センサネットワークシステム。
【請求項９】
複数の端末が互いに独立してそれぞれに観測情報の測定を行うことと、
サーバが前記複数の端末に向けて情報送信要求信号を一斉送信することと、
前記複数の端末のそれぞれが、前記情報送信要求信号を受信することと、
前記複数の端末のそれぞれが、前記情報送信要求信号に応じて、前記測定した観測情報を複数の無線物理量の組み合わせに変換することと、
前記複数の端末が、前記組み合わせに含まれる時刻において、前記組み合わせに含まれる周波数を有する単位信号を、前記サーバに向けて送信することと、
前記サーバが、前記単位信号の集合体を受信信号として受信することと、
前記サーバが、受信した前記受信信号を、対応する前記情報送信要求信号ごとに格納することと、
前記サーバが、複数の前記情報送信要求信号にそれぞれ対応して格納した複数の前記受信信号に基づいて、前記複数の端末の配置と、前記測定された観測情報との組み合わせを推定することと
を具備し、
前記情報送信要求信号を一斉送信することは、
送信するたびに異なるコード番号を、前記情報要求信号に所定の形式で含めること
を具備し、
前記情報要求信号を受信することは、
前記コード番号を前記情報要求信号から読み取ること
を具備し、
前記変換することは、
前記コード番号に応じた変換式を用いて前記変換を行うこと
を具備し、
前記推定することは、
前記コード番号に応じた逆変換式を用いて前記推定を行うこと
を具備する
情報一括収集方法。
【請求項１０】
請求項９に記載の情報一括収集方法のうち、前記サーバが実行する各ステップを、前記サーバに実行させるための
サーバ側情報一括収集プログラム。
【請求項１１】
請求項９に記載の情報一括収集方法のうち、前記それぞれの端末が実行する各ステップを、前記それぞれの端末に実行させるための
端末側情報一括収集プログラム。
【請求項１２】
複数の端末に向けて情報送信要求信号を一斉送信し、前記情報送信要求信号への応答として前記複数の端末から送信される複数の単位信号の集合を受信信号として受信する、送受信回路と、
前記情報送信要求信号ごとに、前記受信信号を対応付けて格納するデータベースと、
前記受信信号に含まれる、前記複数の端末による観測情報を推定する復元回路と
を具備し、
前記情報送信要求信号は、前記サーバから送信される度に異なるコード番号を、受信する前記複数の端末が読み取り可能な所定の形式で含み、
前記復元回路は、前記受信信号に含まれる複数の単位信号をそれぞれ受信した複数の受信時刻と、前記複数の単位信号がそれぞれ有する複数の周波数との組み合わせを、前記受信信号に対応する前記情報送信要求信号に含まれる前記コード番号に対応する逆変換式を用いて、前記複数の端末の配置情報と、前記観測情報の分布とを推定する
サーバ。
【請求項１３】
観測情報の測定を行う測定部と、
コード番号を含む情報送信要求信号を受信する送受信回路と、
前記受信した情報送信要求信号に応じて、かつ、前記コード番号に対応する変換式を用いて、前記測定した観測情報を複数の無線物理量の組み合わせに変換する変換部と
を具備し、
前記観測情報は、
前記測定を行った位置を示す第１座標値および第２座標値
を含み、
前記送受信回路は、前記組み合わせに含まれる第１時刻において、前記組み合わせに含まれる周波数を有する第１単位信号を生成して送信し、
前記送受信回路は、前記組み合わせに含まれる第２時刻において、前記周波数を有する第２単位信号を生成して送信する
端末。